(57)【要約】【課題】長尺ノズルを装着させるノズル装着部を備えたエアゾール容器に装着される噴射装置において、容易にエアゾール容器のステムの押下状態を維持することができ、残留ガスを排出させることが可能なエアゾール噴射装置を提供する。【解決手段】エアゾール容器１００に装着されるキャップ本体部１１と、キャップ本体部１１と一体として形成され、エアゾール容器１００のステム１０１に装着されるとともに、ステム１０１から噴出される内容物を噴射ノズル７０へ案内する案内経路１４を備えたノズル装着部１２と、ノズル装着部１２を跨ぐ切欠き部５１が形成され、ノズル装着部１２を介してステム１０１を間接的に押下するボタン部５０と、を有し、キャップ本体部１１及びボタン部５０には、切欠き部５１の切欠き範囲内でボタン部５０を回転させると、ステム１０１が押下状態となる高さにノズル装着部１２が維持されるよう係合部が形成されている。【選択図】図１０
2008018952.tif 000002
【特許請求の範囲】
【請求項１】
エアゾール容器に装着されるキャップ本体部と、
前記キャップ本体部と一体として形成され、前記エアゾール容器のステムに装着されるとともに、該ステムから噴出される内容物を噴射ノズルへ案内する案内経路を備えたノズル装着部と、
前記ノズル装着部を跨ぐ切欠き部が形成され、該ノズル装着部を介して前記ステムを間接的に押下するボタン部と、を有し、
前記キャップ本体部及び前記ボタン部には、前記切欠き部の切欠き範囲内で前記ボタン部を回転させた場合に、前記ステムが押下状態となる高さに前記ノズル装着部が維持されるよう係合部が形成されていることを特徴とするエアゾール容器用噴射装置。
【請求項２】
前記係合部は、
前記キャップ本体部の内壁に形成されたカム部と、
前記ボタン部の外壁に形成された前記カム部と係合する係合突部と、を備え、
前記ボタン部を回転させたときに、前記係合突部が前記カム部に案内されて前記ボタン部が押下されることを特徴とする請求項１に記載のエアゾール容器用噴射装置。
【請求項３】
前記ボタン部は、上面部表側にスリットを備え、
前記スリットへ係合片を係合させ、該係合片を回転させることによって前記ボタン部を回転させることを特徴とする請求項１または２に記載のエアゾール容器用噴射装置。
【請求項４】
前記ボタン部と、前記ノズル装着部とは嵌合可能であって、かつ回転可能に形成されていることを特徴とする請求項１から３の何れかに記載のエアゾール容器用噴射装置。
【発明の詳細な説明】
【技術分野】
【０００１】
本発明は、エアゾール容器のステムから噴出された内容物を外部へ噴射させるエアゾール容器用噴射装置に関する。
【背景技術】
【０００２】
消臭剤や殺虫剤等のように、エアゾール容器の内容物を噴射口から外部へ噴射させるエアゾール製品が知られている。一般に、消臭剤や殺虫剤等のエアゾール製品に使われているエアゾール容器の内部には液状、粉状の内容物と一緒に噴射剤として圧縮された可燃性ガスが充填されており、エアゾール容器に装着された噴射装置によってステムが押下されたときに、内容物が噴射されるように構成されている。
【０００３】
例えば特許文献１には、エアゾール容器のステムに嵌着する縦方向ノズル部及び横方向ノズル部を有して押し下げ操作される噴射ボタン本体と、その周囲をカバーする壁部を有し、かつエアゾール容器頭頂部に装着される噴射ボタン基部とを備えた長尺ノズル付き噴射ボタンが開示されている。長尺ノズルは、噴射ボタンの前方に、回動可能に備えられ、長尺ノズルを前向きの状態にしてから噴射すると、目掛けた所へ内容物を噴射させることができるようになっている（特許文献１参照）。
【０００４】
ところで、エアゾール容器は、液状、粉状の内容物を使い切った後でも内容物放出用の可燃性ガスが残っていることが多い。可燃性ガスは火気があれば引火して爆発燃焼する可能性のあるガスであるため、可燃性ガスが残ったままの状態でエアゾール容器を廃棄すると思わぬ事態が生じかねない。このため、残留ガスを全て排出させてからエアゾール容器を廃棄することができるように、残留ガス排出機能を備えた噴射装置が提案されている。
【０００５】
例えば特許文献２には、使い捨てで用いるスプレー缶ガス抜き機構付ふたであって、スプレー缶を安定して逆立ちに保持することができる上ぶたと、その上ぶた１を残液の受け皿とし、ふた側面の一部にガス抜け部と、ふた底の中央部に水平な平面部とを設け、そこで活用するためにスプレー缶の噴射ボタンをちょうど押し込めるだけの高さをもった台状の障害物を、通常は邪魔にならないように他所に備え、ガス抜き時にこの障害物を平面部に設置した状態で、スプレー缶を逆立ちに差し込んで用いるスプレー缶ガス抜き機構付ふたが開示されている。
【特許文献１】特開２００２−２４８３８４号公報
【特許文献２】特開平１０−８６９８４号公報
【発明の開示】
【発明が解決しようとする課題】
【０００６】
しかしながら、特許文献１のように長尺ノズルを備えた噴射装置において、特許文献２に記載のガス抜き機構を採用することは困難である。すなわち、特許発明１に記載の噴射装置は、噴射ボタン部分がキャップによって覆われていないため、特許文献２に記載の押下状態を維持する手段を適用することができない。また、長尺ノズルを備えたエアゾール装置の場合には、ある部位を動かすごとに長尺ノズルが邪魔になる場合が多い。したがって、なるべく簡単な操作でステムの押下状態を維持させることができる噴射維持機構が望まれる。
【０００７】
本発明は、上記課題に鑑みてなされたものであって、長尺ノズルを装着させるノズル装着部を備えたエアゾール容器に装着される噴射装置において、容易にエアゾール容器のステムの押下状態を維持することができ、残留ガスを排出させることが可能なエアゾール噴射装置を提供することを目的とする。
【課題を解決するための手段】
【０００８】
上記課題を解決することのできる本発明は、エアゾール容器に装着されるキャップ本体部と、前記キャップ本体部と一体として形成され、前記エアゾール容器のステムに装着されるとともに、該ステムから噴出される内容物を噴射ノズルへ案内する案内経路を備えたノズル装着部と、前記ノズル装着部を跨ぐ切欠き部が形成され、該ノズル装着部を介して前記ステムを間接的に押下するボタン部と、を有し、前記キャップ本体部及び前記ボタン部には、前記切欠き部の切欠き範囲内で前記ボタン部を回転させた場合に、前記ステムが押下状態となる高さに前記ノズル装着部が維持されるよう係合部が形成されていることを特徴とする。
【０００９】
上記構成によれば、ノズル装着部はボタン部に形成された切欠き部に貫通するように構成され、ボタン部によってノズル装着部が押下されるとステムが間接的に押下されるように構成されている。すなわち、ボタン部は切欠き部の切欠き範囲内であればノズル装着部に邪魔されることなく回転させることが可能である。そして、ボタン部を回転させるとキャップ本体部及びボタン部の係合部が係合するので、ステムを押下状態に維持することが可能である。したがって、ノズル装着部を備えたエアゾール容器用噴射装置においても、容易にエアゾール容器のステムの押下状態を維持することができ、残留ガスを排出させることが可能である。
【００１０】
また、上記構成において、前記係合部は、前記キャップ本体部の内壁に形成されたカム部と、前記ボタン部の外壁に形成された前記カム部と係合する係合突部と、を備え、前記ボタン部を回転させたときに、前記係合突部が前記カム部に案内されて前記ボタン部が押下されることを特徴とする。
【００１１】
このような構成によれば、ボタン部を回転させれば、係合突部がカム部に案内されてボタン部が押下されるように構成されている。したがって、例えばカム部の形状を傾斜させておくことによって、ユーザはボタン部を回転させるだけで、容易にステムを傾斜にしたがって押下させて、係合状態を維持させることが可能である。
【００１２】
また、上記構成において、前記ボタン部は、上面部表側にスリットを備え、前記スリットへ係合片を係合させ、該係合片を回転させることによって前記ボタン部を回転させることを特徴とする。
【００１３】
このような構成によれば、スリットに係合された係合片を回転させるだけで、ボタン部を容易に回転させることが可能である。例えば、係合片としてコインをスリットに係合させてもよい。コインに限らず、スリット形状に対応した係合片を係合させれば、ボタン部を直接回転させるよりも小さな力で、係合状態へ移行させることが可能である。
【００１４】
また、上記構成において、前記ボタン部と、前記ノズル装着部とは嵌合可能であって、かつ回転可能に形成されていることを特徴とする。
【００１５】
このような構成によれば、ボタン部とステム装着部とが嵌合された状態で、ボタン部を回転させることができる。したがって、ボタン部の回転中でもノズル装着部とボタン部とがずれたりすることがなく、また、例えば嵌合部分をボタン部の中心にするよう構成すれば、嵌合部分を回転軸として、バランスよくスムーズに回転させることが可能である。
【発明の効果】
【００１６】
本発明によれば、長尺ノズルが装着されるノズル装着部を備えたエアゾール容器に装着されるエアゾール用噴射装置において、容易にエアゾール容器のステムの押下状態を維持することができ、残留ガスを排出させることが可能である。
【発明を実施するための最良の形態】
【００１７】
以下、本発明に係るエアゾール容器用噴射装置の実施形態を図面を参照しつつ詳細に説明する。
（エアゾールキャップの構造）
本実施形態のエアゾール容器用噴射装置は、主として、エアゾールキャップとボタン部とから構成されている。まず、図１〜図６を用いて、本実施形態にかかるエアゾール用噴射装置１を構成するエアゾールキャップ１０の構造について説明する。図１は本実施形態にかかるエアゾールキャップの正面図、図２はエアゾールキャップの背面図、図３は、エアゾールキャップの上面図、図４はエアゾールキャップの底面図、図５（ａ）は、図３のＡ−Ａ線断面図、図５（ｂ）は、カム部の拡大図、図６は、図３のＢ−Ｂ線断面図である。
【００１８】
エアゾールキャップ１０は、図１〜図４に示すように略円筒形状の概観を有し、主として、エアゾール容器に装着されるキャップ本体部１１と、キャップ本体部１１の略中央部から正面に向かって延びるノズル装着部１２と、を備えている。図５に示すように、ノズル装着部１２は、キャップ本体部１１の下部正面部からエアゾールキャップの中心部に向かって、斜めに延伸した延伸板１９を介してキャップ本体部１１と一体として形成されている。
【００１９】
また、ノズル装着部１２は、エアゾール容器のステムに装着されるとともに、ステムから噴出される内容物をノズル装着部１２の先端に装着される噴射ノズル７０（後述する図９参照）へ案内する案内経路１４を備えている。
【００２０】
エアゾールキャップ１０の正面には、エアゾール用噴射装置の製造、出荷時や、通常使用時における、落下、衝撃等からノズル装着部１２及び噴射ノズル７０部分を保護するためのノズルカバー１５が形成されている。図１に示すように、ノズルカバー１５は、正面視鎹形状を有し、ノズル装着部１２及び噴射ノズル７０の上方及び側方を覆うようにエアゾールキャップの正面方向に突出形成されている（図５参照）。
【００２１】
図５及び図６に示すように、ノズル装着部１２には、エアゾール容器のステムが装着されるステム装着部１６が案内経路１４に対して直交する方向に開口している。エアゾールキャップ１０をエアゾール容器に装着させる場合には、嵌合手段１７をマウンテンカップに嵌合させると共に、ステム装着部１６をステムへ装着させる。
【００２２】
さらに、ノズル装着部１２には、ステム装着部１６がステムに装着されたときに、ほぼステムの延長線上にくる位置に、円柱形状の突起部１８が形成されている。後述するボタン部を装着させる際には、突起部１８に対応する形状で、後述するボタン部の凹部と嵌合するように構成されている。なお、本実施形態では、エアゾールキャップ１０に突起部１８を、ボタン部に凹部を設けるように構成したが、逆にエアゾールキャップ１０に凹部、ボタン部５０に突起部１８を設けてもよい。
【００２３】
キャップ本体部１１の中央部内周壁２１には、カム部２０,２０が対向する位置に形成されている。図５（ｂ）に示すように、カム部２０は、深く切欠かれた第１切欠部２０ａと、それよりも浅く切欠かれた第２切欠部２０ｂと、を備え、第１切欠部２０ａと第２切欠部２０ｂとを傾斜部２０ｃでつないだ形状となっている。そして、傾斜部２０ｃは第１切欠部２０ａから第２切欠部２０ｂへ向かって下り傾斜するように形成されている。
【００２４】
（ボタン部の構造）
次に、図７及び図８を参照してエアゾールキャップ２に装着されるボタン部について説明する。図７（ａ）は、本実施形態のボタン部の概観図、図７（ｂ）は、ボタン部の上面図、図８（ａ）は、図７（ｂ）のＣ−Ｃ線断面図、図８（ｂ）は、図７（ｂ）のＤ−Ｄ線断面図、図８（ｃ）は、ボタン部の底面図である。
【００２５】
図７（ａ）、図８（ｂ）に示すように、ボタン部５０は略円筒形状を有し、その側壁５２の一部に、これをエアゾールキャップ１０に装着させた場合に、ノズル装着部１２を跨ぐ切欠き部５１が形成されている。切欠き部５１によってノズル装着部１２を跨ぐようにボタン部５０を装着させ、ボタン部５０を押下すると、ノズル装着部１２を介してステムが間接的に押下されるように構成れている。
【００２６】
また、図７（ａ）に示すように、ボタン部５０の側壁５２には、キャップ本体部１１に形成されたカム部２０,２０と係合する係合突部５３,５３が対向する位置に形成されている。係合突部５３は、側壁５２から外側に向かって垂直方向に突出し、ボタン部の下部へ向かうにつれて傾斜しており、傾斜面５４を有するようになっている。
【００２７】
さらに、図７（ｂ）、図８（ｂ）に示すように、ボタン部５０の上面部表側５６には、スリット５５が設けられ、コインのような板状の係合片が係合可能になっている。スリット５５は、緩やかな湾曲形状に形成され、コインのような円形状に応じた形状となっているので、係合片をスリット５５に係合させて、ボタン部を回転させる際に、滑って容易に外れてしまうことがない。一方、ボタン部５０の上面部裏側５８の略中央部には、前述したノズル装着部１２に形成された突起部１８と嵌合する円筒形状の凹部５７が形成されており、突起部１８に凹部５７を嵌合させるとエアゾールキャップ１０にボタン部５０が装着される。
【００２８】
（エアゾール用噴射装置の作用）
次に、本実施形態のエアゾール用噴射装置１の作用について説明する。図９は、本実施形態のエアゾール用噴射装置をエアゾール容器に装着させたときの中央縦断面図、図１０は、エアゾール容器の残留ガス排出中の中央縦断面図である。
【００２９】
本実施形態のエアゾール容器用噴射装置１は、エアゾールキャップ１０のステム装着部１６にステム１０１を装着させ、略中心部に位置する突起部１８にボタン部５０の凹部５７を嵌合させた状態で、使用されるものである。また、ノズル装着部１２の先端部には、案内経路１４を経由したエアゾール容器１００の内容物を外部へ噴射する噴霧ノズル７０が装着される。さらにこの噴射ノズル７０には、ヒンジ部７１によって第２噴射ノズル７３が接続されている。噴射ノズル７０はヒンジ部７１を支点として回動可能であり、必要に応じて噴射ノズル７０あるいは第２噴射ノズル７２を切り替えて、内容物を噴射させることができるように構成されている。
【００３０】
図９に示すように、通常は、ボタン部５０の切欠き部５１の切欠き部始端５９がノズル装着部１２と接した状態で使用される。図９（ｂ）に示すように、このときボタン部５０の係合突部５３,５３は、エアゾールキャップ１０の第１切欠部２０ａ,２０ａに係合した状態である。
【００３１】
通常使用時は、ユーザがボタン部５０の上面部表側５６に後方から指を掛け、そのまま下に押し下げることによって、ステム１０１が押下されて、エアゾール容器１００の内容物が案内経路１４を経由して、噴射ノズル７０あるいは第２噴射ノズル７２から噴射される。
【００３２】
噴射状態を維持する（残留ガス排出）ときは、図９（ａ）に示すようにコイン形状の係合板９０をスリット５５へ係合させてボタン部５０を押下する。次に押下したまま、時計回りに９０度回転させると、係合板９０の回転にしたがってボタン部５０が突起部１８を中心軸として回転する。なお、第１切欠部２０ａ,２０ａと突部５３,５３との係合状態は、ボタン部５０が押下されて回転が開始されたときに解除される。
【００３３】
その後、ボタン部５０はカム部２０の傾斜部２０ｃにしたがって下降し、図１０（ｂ）に示すように、切欠き部５１の切欠き部終端６０がノズル装着部１２に当接した状態で停止する。このときボタン部５０の係合突部５３,５３は、エアゾールキャップ１０の第２切欠部２０ｂ,２０ｂに係合した状態となる。
【００３４】
このようにボタン部５０が９０度回転すると、係合突部５３,５３は、第１切欠部２０ａから第２切欠部２０ｂへ係合位置が変化する。すなわち、図５（ｂ）に示すように、本実施形態の場合には高さｈだけボタン部５０は押下されたことになり、これに伴ってステム１０１の押下され、係合状態が維持されて、図１０（ａ）に示すように、残留ガスを排出することが可能となる。
【００３５】
このように、本実施形態のエアゾール用噴射装置１によれば、ボタン部５０は切欠き部５１の切欠き範囲内であればノズル装着部１２に邪魔されることなく回転させることが可能である。そして、ボタン部５０を９０度回転させるとキャップ本体部１１の第２切欠部２０ｃ, ２０ｃ及びボタン部５０の係合突部５３,５３とが係合するので、ステム１０１を押下状態に維持することが可能である。したがって、ノズル装着部１２を備えたエアゾール容器用噴射装置１においても、容易にエアゾール容器１００のステム１０１の押下状態を維持することができ、残留ガスを排出させることが可能である。
【００３６】
また、ボタン部５０を回転させれば、係合突部５３,５３がカム部２０,２０の傾斜部２０ｃ,２０ｃの傾斜にしたがって案内されて降下しつつ、係合状態へ移行できるように構成されている。したがって、ユーザはボタン部５０を回転させるだけで、ステム１０１を押下し、係合状態を維持させることが可能である。
【００３７】
また、スリット５５に係合された係合片９０を回転させるだけで、ボタン部５０を容易に回転させることが可能である。したがって、スリット５５の湾曲形状に対応したコイン形状の係合板９０を係合させることによって、ボタン部を直接回転させるよりも小さな力で、係合状態へ移行させることが可能である。
【図面の簡単な説明】
【００３８】
【図１】本実施形態にかかるエアゾールキャップの正面図である。
【図２】本実施形態にかかるエアゾールキャップの背面図である。
【図３】本実施形態にかかるエアゾールキャップの上面図である。
【図４】本実施形態にかかるエアゾールキャップの底面図である。
【図５】（ａ）は、図３のＡ−Ａ線断面図、（ｂ）は、カム部を拡大した図である。
【図６】図３のＢ−Ｂ線断面図である。
【図７】（ａ）は、本実施形態のボタン部の概観図、（ｂ）は、ボタン部の上面図である。
【図８】（ａ）は、図７（ｂ）のＣ−Ｃ線断面図、（ｂ）は、図７（ｂ）のＤ−Ｄ線断面図、（ｃ）は、ボタン部の底面図である。
【図９】本実施形態のエアゾール用噴射装置をエアゾール容器に装着させたときの中央縦断面図である。
【図１０】エアゾール容器の残留ガス排出中の中央縦断面図である。
【符号の説明】
【００３９】
１：エアゾール用噴射装置、１０：エアゾールキャップ、１１：キャップ本体部、１２：ノズル装着部、２０ａ：第１切欠部、２０ｂ：第２切欠部、２０ｃ：傾斜部、５３：係合突部、５５：スリット
【図１】
2008018952.tif 000003
【図２】
2008018952.tif 000004
【図３】
2008018952.tif 000005
【図４】
2008018952.tif 000006
【図５】
2008018952.tif 000007
【図６】
2008018952.tif 000008
【図７】
2008018952.tif 000009
【図８】
2008018952.tif 000010
【図９】
2008018952.tif 000011
【図１０】
2008018952.tif 000012